(57)【要約】 【課題】２つの光通信装置の最適な光通信ポイントで位置合わせできるようにすると共に、２つの光通信装置間で所望の光通信処理を実行できるようにする。【解決手段】通信用の光素子１５を有し、かつ、機器載置面にＬＣＤパネル１２２を有して光通信処理をする光通信装置１と、通信用の光素子２７を有し、かつ、光素子位置合わせ用の端末情報を有して光通信処理をする端末装置２とを備え、光通信装置１は、端末装置２から端末情報を受信し、この端末情報を情報処理してＬＣＤパネル１２２にその端末装置２の外形映像を表示する。光素子位置合わせ時、ＬＣＤパネル１２２に表示された外形映像に沿って端末装置２を載置すると、光通信装置１の光素子配設位置と、端末装置２の光素子配設位置とを自己整合的かつ自動的に位置合わせできるようになる。【選択図】    図１
2008227952.tif 000002
【特許請求の範囲】
【請求項１】
２つの光通信装置間の通信用の光素子を位置合わせして光通信処理をするシステムであって、
所定位置に配設された通信用の光素子を有し、かつ、機器載置面に表示部を有して光通信処理をする第１の光通信装置と、
所定位置に配設された通信用の光素子を有し、かつ、当該光素子を前記第１の光通信装置の光素子に位置合わせするための光素子位置合わせ用の端末情報を有して光通信処理をする第２の光通信装置とを備え、
前記第１の光通信装置は、
前記第２の光通信装置から前記端末情報を受信し、
前記端末情報を情報処理して前記表示部に前記第２の光通信装置の外形映像を表示することを特徴とする光通信システム。
【請求項２】
前記端末情報は、
前記第２の光通信装置に備えられ、
前記第１の光通信装置に対する光素子位置合わせ時の位置座標系における自機の外形映像と光素子配設位置との関係を表示するための外形情報であることを特徴とする請求項１に記載の光通信システム。
【請求項３】
前記端末情報は、
前記第２の光通信装置に備えられ、
前記第１の光通信装置に対する光素子位置合わせ時の位置座標系における自機の外形映像と光素子配設位置との関係を表示するための外形情報を読み出す識別情報であり、
前記第１の光通信装置は、
前記第２の光通信装置から受信した前記識別情報によって読み出される複数の外形情報を機種別に記憶する記憶部を備えることを特徴とする請求項１に記載の光通信システム。
【請求項４】
前記第１の光通信装置の表示部に表示された前記外形映像に沿って前記第２の光通信装置を載置するようになされることを特徴とする請求項１に記載の光通信システム。
【請求項５】
前記第１の光通信装置は、
前記表示部に複数の光源を有し、
前記表示部の光源の一部が通信用の発光素子として使用されることを特徴とする請求項１に記載の光通信システム。
【請求項６】
前記表示部がバックライトを有した液晶表示素子から構成され、
前記液晶表示素子のバックライトを通信用の発光素子として使用されることを特徴とする請求項５に記載の光通信システム。
【請求項７】
前記表示部が１画素点灯可能なＬＥＤ素子を集合したＬＥＤ表示アレイから構成され、
前記ＬＥＤ表示アレイの１画素又は複数の画素を通信用の発光素子として使用されることを特徴とする請求項５に記載の光通信システム。
【請求項８】
前記第１及び第２の光通信装置間の光通信方式が可視光通信方式であることを特徴とする請求項１に記載の光通信システム。
【請求項９】
前記通信用の光素子には、発光素子及び受光素子が含まれることを特徴とする請求項１に記載の光通信システム。
【請求項１０】
前記第１の光通信装置及び前記第２の光通信装置は、各々がデータ通信をする機能を有しており、
前記第１の光通信装置は、
前記端末情報を取得して機器載置面の表示部に前記第２の光通信装置の外形映像を表示する共に、前記第２の光通信装置が機器載置面に載置されると、当該第２の光通信装置に対して光通信処理を実行することを特徴とする請求項１に記載の光通信システム。
【請求項１１】
前記端末情報は、
前記第２の光通信装置の外形情報及び第１の光通信装置に対して所定の光通信ポイントを与える通信用の光素子の座標情報であり、
前記第１の光通信装置は、
前記第２の光通信装置から前記外形情報及び通信用の光素子の座標情報を取得して当該第２の光通信装置の外形映像を機器載置面上に表示することを特徴とする請求項１０に記載の光通信システム。
【請求項１２】
前記端末情報は、
前記第２の光通信装置の種別を識別する識別情報であり、
前記第１の光通信装置は、
前記識別情報に対応した前記第２の光通信装置の外形情報及び通信用の光素子の座標情報を記憶する記憶部を備え、
当該第１の光通信装置は、
前記第２の光通信装置から前記識別情報を取得し、
前記識別情報に基づいて前記記憶部から第２の光通信装置の外形情報及び通信用の光素子の座標情報を読み出し、当該第２の光通信装置の外形映像を機器載置面の表示部に表示することを特徴とする請求項１０に記載の光通信システム。
【請求項１３】
所定位置に配設された通信用の光素子を有し、かつ、機器載置面に表示部を有して光通信処理をする第１の光通信装置と、所定位置に配設された通信用の光素子を有し、かつ、当該光素子を前記第１の光通信装置の光素子に位置合わせするための光素子位置合わせ用の端末情報を有して光通信処理をする第２の光通信装置との間の２つの光素子を位置合わせして光通信をする方法であって、
光素子位置合わせ時、
前記第２の光通信装置は、
前記第１の光通信装置へ前記端末情報を送信し、
前記第１の光通信装置は、
前記第２の光通信装置から前記端末情報を受信し、
前記端末情報に基づいて前記表示部に前記第２の光通信装置の外形映像を表示することを特徴とする光通信方法。
【請求項１４】
２つの光通信装置間で通信用の光素子を位置合わせして光通信をするシステムで適用可能な光通信装置であって、
所定の位置に配設された通信用の光素子と、
前記光素子が位置合わせされる機器載置面に設けられた表示部と、
前記表示部に載置された他の光通信装置との間で光通信処理をする光通信機能部とを備え、
当該光通信装置に対する光素子位置合わせ時の位置座標系における他の光通信装置の外形映像と光素子配設位置との関係を表示するための情報を外形情報としたとき、
前記光通信機能部は、
前記他の光通信装置から前記外形情報を受信し、
前記外形情報に基づく前記他の光通信装置の外形映像を前記表示部に表示することを特徴とする光通信装置。
【請求項１５】
機器載置面に表示部が設けられた光通信装置を含む２つの光通信装置間で通信用の光素子を位置合わせして光通信をするシステムで適用可能な光通信装置であって、
所定位置に配設された通信用の光素子と、
前記表示部が設けられた光通信装置に対する光素子位置合わせ時の位置座標系における自機の外形映像と前記光素子の配置情報との関係を表示するための外形情報を記憶する記憶部と、
前記記憶部から読み出した外形情報に基づいて光通信処理をする光通信機能部とを備え、
前記光通信機能部は、
光素子位置合わせ時、
前記表示部が設けられた光通信装置へ前記外形情報を送信することを特徴とする光通信装置。
【請求項１６】
２つの光通信装置間で通信用の光素子を位置合わせして光通信処理をするシステムで適用可能な光通信装置であって、
所定の位置に配設された通信用の光素子と、
前記光素子を位置合わせされる機器載置面に設けられた表示部と、
前記表示部に載置された他の光通信装置との間で光通信処理をする光通信機能部と、  他の前記光通信装置に対する光素子位置合わせ時の位置座標系における自機の外形映像と前記光素子の配置情報との関係を表示するための情報を外形情報とし、前記外形情報を読み出す情報を識別情報としたとき、前記外形情報を記憶する記憶部とを備え、
前記光通信機能部は、
前記他の光通信装置から前記識別情報を受信し、
前記識別情報に基づく前記他の光通信装置の外形情報を前記記憶部から読み出し、
前記外形情報に基づいて前記他の光通信装置の外形映像を前記表示部に表示することを特徴とする光通信装置。
【請求項１７】
機器載置面に表示部が設けられた光通信装置を含む２つの光通信装置間で通信用の光素子を位置合わせして光通信処理をするシステムに適用可能な光通信装置であって、
所定位置に配設された通信用の光素子と、
前記表示部が設けられた光通信装置に対する光素子位置合わせ時の位置座標系における自機の外形映像と前記光素子の配置情報との関係を表示するための外形情報を読み出すための識別情報を記憶する記憶部と、
前記記憶部から読み出した識別情報に基づいて光通信処理をする光通信機能部とを備え、
前記光通信機能部は、
光素子位置合わせ時、
前記表示部が設けられた光通信装置へ前記識別情報を送信することを特徴とする光通信装置。
【発明の詳細な説明】
【技術分野】
【０００１】
本発明は、映像及び音情報を光通信処理する非接触型の光データ通信システム、携帯端末装置等に適用して好適な光通信システム、光通信方法及び光通信装置に関する。詳しくは、所定位置に配設された光素子を有し、かつ、機器載置面に表示部を有して光通信処理をする光通信装置を備え、当該光通信装置に対する光素子位置合わせ時の通信用の光素子の位置座標系における端末装置の外形映像と、光素子の配設位置との関係を表示するための外形情報を端末装置から受信し、この外形情報に基づいて表示部に端末装置の外形映像を表示して、表示部に表示された外形映像に沿って端末装置を載置したとき、光通信装置の通信用の光素子の配設位置と、端末装置の通信用の光素子の配設位置とを目視確認による位置合わせに依存することなく、自己整合的かつ自動的に２つの光素子を位置合わせできるようにすると共に、２つの光素子が最適に位置合わせされた状態で、光通信装置上に端末装置を載置したまま当該光通信装置と端末装置との間で所望の光通信処理を実行できるようにしたものである。
【背景技術】
【０００２】
近年、携帯電話機や、ＰＤＡ（Personal Digital Assistants）の端末装置（携帯型の電子機器や電気機器等）が使用される場合が多くなってきた。一方、ＬＥＤ光源（素子）を高速に点滅させ、人の目には照明光に見える可視光によってデータを伝送する可視光通信方式が利用されている。
【０００３】
この種の可視光通信に関連して、特許文献１には、照明光送信装置、照明光受信装置及び蛍光体タイプ照明光通信システムが開示されている。
【０００４】
特許文献２には、光通信装置及びそれを用いた情報機器が開示されている。この光通信装置によれば、バックライトの可視光源を用いた通信機能を備え、バックライト機能と、当該バックライト機能と共に可視光による送受信が可能となるというものである。
【０００５】
特許文献３には、携帯用通信端末装置のディスプレイ部の点滅を利用した通信装置及び方法が開示されている。この携帯用通信端末装置によれば、ディスプレイ部のバックライト機能と共に点滅を利用した可視光による通信機能を備え、バックライト機能と、当該バックライト機能と共に可視光による送受信が可能となるというものである。
【０００６】
特許文献４には、表示装置、及びこれを用いた携帯電話端末、モバイルゲーム端末、テレビ受像機、立体表示システムが開示されている。この表示装置によれば、液晶パネルに接続された点滅制御部を備え、液晶パネルのバックライトの光源をデータに基づいて点滅制御することで、装置外部にデータを送信できるというものである。
【０００７】
特許文献５には、画像表示装置及びデータ伝達システムが開示されている。この画像表示装置によれば、表示画素をＬＥＤで構成したディスプレイを備え、画素毎のＬＥＤを発光させて画像を表示する際に、走査周波数よりも高い周波数でＬＥＤを点滅させることで、外部にデータを送信できるというものである。
【０００８】
特許文献６には、電気機器及びコントローラが開示されている。この電気機器によれば、ＬＥＤの点滅あるいは発光量を制御する制御部を備え、制御部でデータに基づいて発光を変調することで、外部とデータの送受信ができるというものである。
【０００９】
図１０は、従来例に係る第１の光通信システム４００の構成例を示す概念図である。図１０に示す光通信システム４００は、単一方向の可視光通信機能を有しており、送信機能部４０及び受信機能部５０を有して構成される。送信機能部４０は、変調回路１０１、ＬＥＤ駆動回路１０２及びＬＥＤ素子１０３によって構成される。受信機能部５０は、フォトディテクタ２０１、増幅回路２０２及び復調回路２０３を有して構成される。
【００１０】
光通信システム４００における可視光通信例によれば、送信機能部４０から受信機能部５０に対して片方向へデータ通信を行うために、送信機能部４０は、デジタルの送信データＤoutを変調回路１０１によって変調する。変調後の変調データＤｘはＬＥＤ駆動回路１０２に出力される。ＬＥＤ駆動回路１０２は変調データＤｘに基づく変調信号Ｓｘを出力してＬＥＤ素子１０３を駆動する。ＬＥＤ素子１０３は変調信号Ｓｘに基づく高速点滅動作によって変調信号Ｓｘを光信号に変換する。変調信号Ｓｘは可視光として受信機能部５０に送信される。
【００１１】
受信機能部５０では、フォトディテクタ２０１が可視光を受光する。可視光は電気信号に変換され、電気信号は増幅回路２０２によって増幅される。増幅された電気信号は復調回路２０３によって復調される。これにより、単一方向の可視光通信方式を採用した光通信システム４００で、復調回路２０３からデジタルの受信データＤinを取得できるというものである。このような単一方向の可視光通信方式を採用した光通信システム４００は、特許文献３，５や６等の近距離光通信等に見られる。
【００１２】
図１１は従来例に係る第２の光通信システム５００の構成例を示す概念図である。図１１に示す光通信システム４００は双方向の可視光通信機能を有しており、同一機能を有した２つの光通信装置５ａ，５ｂが備えられる。光通信装置５ａ，５ｂの各々は、送信機能部４０及び受信機能部５０を有して構成される。
【００１３】
光通信システム５００によれば、光通信装置５ａ，５ｂを対向させることで、双方向のデータ通信を実現する。光送信時の動作は光通信システム４００の送信機能部４０と同様であり、その光受信時の動作は光通信システム４００の受信機能部５０と同様である。光通信システム５００でも、復調回路２０３からデジタルの受信データＤinを取得できるというものである。このような双方向の可視光通信方式を採用した光通信システム５００は、特許文献２，４等の近距離光通信等に見られる。
【００１４】
【特許文献１】特開２００３−３１８８３６号公報
【特許文献２】特開２００６−３１９４０８号公報
【特許文献３】特開２００５−０１２７４５号公報
【特許文献４】特開２００４−２４６２７４号公報
【特許文献５】特開２００６−２２７２０７号公報
【特許文献６】特開２００４−２４８１２８号公報
【発明の開示】
【発明が解決しようとする課題】
【００１５】
ところで、従来例に係る光通信システムによれば、端末装置を光通信装置上に載置し、特許文献１〜６に見られるような可視光通信方式を応用して、データ伝送をしようとした場合に次のような問題がある。
【００１６】
ｉ．光通信システム４００においては、送信機能部４０と受信機能部５０とが、ある程度、距離を置いて適用される場合は、送信機能部４０のＬＥＤ素子１０３と、受信機能部５０のフォトディテクタ２０１との位置合わせが緩和される。これはＬＥＤ素子１０３がフォトディテクタ２０１の視界に存在するためである。
【００１７】
しかしながら、送信機能部４０を受信機能部５０の一部平面に載置して適用する目的（要求）があった場合に、送信機能部４０のＬＥＤ素子１０３と受信機能部５０のフォトディテクタ２０１の配設位置とを合わせなければ、信頼性良く接近光通信を行うことができない。従って、送信機能部４０及び受信機能部５０の最適な光通信ポイントでの位置合わせが困難なことから、接近光通信時、送信機能部４０と受信機能部５０との間で所望の光通信処理が困難となるおそれがある。
【００１８】
ii．光通信システム５００においても、光通信装置５ａと光通信装置５ｂとが、ある程度、距離を置いて適用される場合は、光通信装置５ａのＬＥＤ素子１０３と、光通信装置５ｂのフォトディテクタ２０１との位置合わせが緩和される。これは光通信システム４００と同様な理由による。
【００１９】
しかしながら、光通信装置５ｂを光通信装置５ａの一部平面、例えば、表示部上に載置して適用する目的（要求）があった場合に、光通信装置５ａのＬＥＤ素子１０３と光通信装置５ｂのフォトディテクタ２０１の配設位置とを合わせなければ、信頼性良く接近光通信を行うことができない。従って、２つの光通信装置５ａ，５ｂの最適な光通信ポイントでの位置合わせが困難となることから、２つの光通信装置５ａ，５ｂ間で所望の光通信処理が困難となるおそれがある。
iii．なお、光通信システム４００，５００において、表示部に光源を持つ場合、送信機能部４０のＬＥＤ素子１０３や、光通信装置５ａのＬＥＤ素子１０３が表示部の光源に加えて増加することから、システム構成が大きくなったり、その消費電力が大きくなるという問題がある。
【００２０】
そこで、この発明はこのような従来の課題を解決したものであって、２つの光通信装置の最適な光通信ポイントで位置合わせできるようにすると共に、２つの光通信装置間で所望の光通信処理を実行できるようにした光通信システム、光通信方法及び光通信装置を提供することを目的とする。
【課題を解決するための手段】
【００２１】
上述した課題は、２つの光通信装置間で通信用の光素子を位置合わせして光通信処理をするシステムであって、所定位置に配設された通信用の光素子を有し、かつ、機器載置面に表示部を有して光通信処理をする第１の光通信装置と、所定位置に配設された通信用の光素子を有し、かつ、当該光素子を第１の光通信装置の光素子に位置合わせするための光素子位置合わせ用の端末情報を有して光通信処理をする第２の光通信装置とを備え、第１の光通信装置は、第２の光通信装置から端末情報を受信し、端末情報を情報処理して表示部に第２の光通信装置の外形映像を表示することを特徴とする光通信システムによって解決される。
【００２２】
本発明に係る第１の光通信システムによれば、２つの光通信装置間で通信用の光素子を位置合わせして光通信処理をする場合に、第１の光通信装置は、所定位置に配設された通信用の光素子を有しており、機器載置面に表示部を有して光通信処理をする。第２の光通信装置は、所定位置に配設された通信用の光素子を有しており、当該光素子を第１の光通信装置の光素子に位置合わせするための光素子位置合わせ用の端末情報を有して光通信処理をする。
【００２３】
例えば、端末情報は、第２の光通信装置に備えられ、第１の光通信装置に対する光素子位置合わせ時の位置座標系における自機の外形映像と光素子配設位置との関係を表示するための外形情報である。これを前提にして、第１の光通信装置は、第２の光通信装置から端末情報（外形情報）を受信し、この端末情報に基づいて表示部に第２の光通信装置の外形映像を表示するようになる。
【００２４】
従って、光素子位置合わせ時、第１の光通信装置の表示部に表示された外形映像に沿って第２の光通信装置を載置すると、第１の光通信装置の光素子配設位置と、第２の光通信装置の光素子配設位置とを目視確認して位置合わせすることなく、自己整合的かつ自動的に２つの通信用の光素子を位置合わせできるようになる。しかも、２つの光素子が最適に位置合わせされた第１の光通信装置と第２の光通信装置との間で所望の通信処理を実行できるようになる。
【００２５】
本発明に係る光通信方法は、所定位置に配設された通信用の光素子を有し、かつ、機器載置面に表示部を有して光通信処理をする第１の光通信装置と、所定位置に配設された通信用の光素子を有し、かつ、当該光素子を第１の光通信装置の光素子に位置合わせするための光素子位置合わせ用の端末情報を有して光通信処理をする第２の光通信装置との間の２つの通信用の光素子を位置合わせして光通信をする方法であって、光素子位置合わせ時、第２の光通信装置は、第１の光通信装置へ端末情報を送信し、第１の光通信装置は、第２の光通信装置から端末情報を受信し、端末情報に基づいて表示部に第２の光通信装置の外形映像を表示することを特徴とするものである。
【００２６】
本発明に係る光通信方法によれば、２つの光通信装置間で通信用の光素子を位置合わせして光通信処理をする場合に、第１の光通信装置の表示部に表示された外形映像に沿って第２の光通信装置を載置すると、第１の光通信装置の光素子配設位置と、第２の光通信装置の光素子配設位置とを目視確認して位置合わせすることなく、自己整合的かつ自動的に２つの通信用の光素子を位置合わせできるようになる。これにより、２つの通信用の光素子が最適に位置合わせされた状態で、第１の光通信装置上に第２の光通信装置を載置したまま第１の光通信装置から第２の光通信装置へデータを送信したり、第１の光通信装置と第２の光通信装置との間で所望の通信処理を実行できるようになる。
【００２７】
本発明に係る第１の光通信装置は、２つの光通信装置間で通信用の光素子を位置合わせして光通信処理をするシステムで適用可能な光通信装置であって、所定位置に配設された通信用の光素子と、この光素子が位置合わせされる機器載置面に設けられた表示部と、この表示部に載置された他の光通信装置との間で光通信処理をする光通信機能部とを備え、当該光通信装置に対する光素子位置合わせ時の位置座標系における他の光通信装置の外形映像と光素子配設位置との関係を表示するための情報を外形情報としたとき、光通信機能部は、他の光通信装置から外形情報を受信し、外形情報に基づく他の光通信装置の外形映像を表示部に表示することを特徴とするものである。
【００２８】
本発明に係る第１の光通信装置によれば、２つの光通信装置間で通信用の光素子を位置合わせして光通信処理をする場合に、光通信機能部は、所定位置に配設された通信用の光素子を有し、この光素子が位置合わせされる機器載置面に設けられた表示部に載置される他の光通信装置との間で光通信処理をする。これを前提にして、光通信機能部は、当該光通信装置に対する光素子位置合わせ時の位置座標系における他の光通信装置の外形映像と光素子配設位置との関係を表示する外形情報を他の光通信装置から受信し、この外形情報に基づく他の光通信装置の外形映像を表示部に表示するようになる。
【００２９】
従って、表示部に表示された外形映像に沿って他の光通信装置を載置すると、第１の光通信装置の光素子配設位置と、他の光通信装置の光素子配設位置とを目視確認して位置合わせすることなく、自己整合的かつ自動的に２つの通信用の光素子を位置合わせできるようになる。
【００３０】
本発明に係る第２の光通信装置は、機器載置面に表示部が設けられた光通信装置を含む２つの光通信装置間で通信用の光素子が位置合わせされるシステムで適用可能な光通信装置であって、所定位置に配設された通信用の光素子と、表示部が設けられた光通信装置に対する光素子位置合わせ時の位置座標系における自機の外形映像と通信用の光素子の配置情報との関係を表示するための外形情報を記憶する記憶部と、この記憶部から読み出した外形情報に基づいて光通信処理をする光通信機能部とを備え、光通信機能部は、光素子位置合わせ時、表示部が設けられた光通信装置へ外形情報を送信することを特徴とするものである。
【００３１】
本発明に係る第２の光通信装置によれば、２つの光通信装置間で通信用の光素子を位置合わせして光通信処理をする場合に、光通信機能部は、所定位置に配設された通信用の光素子を有し、他の光通信装置に対する光素子位置合わせ時の位置座標系における自機の外形映像と通信用の光素子の配置情報との関係を表示する外形情報を記憶部から読み出して光通信処理をする。これを前提にして、光通信機能部は、光素子位置合わせ時、機器載置面に表示部が設けられた光通信装置へ外形情報を送信するようになされる。
【００３２】
従って、機器載置面が設けられた光通信装置の表示部に表示された外形映像に沿って当該第２の光通信装置を載置すると、機器載置面が設けられた光通信装置の光素子配設位置と、当該第２の光通信装置の光素子配設位置とを目視確認して位置合わせすることなく、自己整合的かつ自動的に２つの通信用の光素子を位置合わせできるようになる。
【００３３】
本発明に係る第３の光通信装置は、２つの光通信装置間で通信用の光素子を位置合わせして光通信処理をするシステムで適用可能な光通信装置であって、所定位置に配設された通信用の光素子と、この光素子が位置合わせされる機器載置面に設けられた表示部と、この表示部に載置された他の光通信装置との間で光通信処理をする光通信機能部と、他の光通信装置に対する光素子位置合わせ時の位置座標系における自機の外形映像と通信用の光素子の配置情報との関係を表示するための情報を外形情報とし、外形情報を読み出す情報を識別情報としたとき、外形情報を記憶する記憶部とを備え、光通信機能部は、他の光通信装置から識別情報を受信し、識別情報に基づく他の光通信装置の外形情報を記憶部から読み出し、外形情報に基づいて他の光通信装置の外形映像を表示部に表示することを特徴とするものである。
【００３４】
本発明に係る第３の光通信装置によれば、２つの光通信装置間で通信用の光素子を位置合わせして光通信処理をする場合に、光通信機能部は、所定の配置情報の通信用の光素子を有し、この光素子を位置合わせされる機器載置面に設けられた表示部に載置される他の光通信装置との間で光通信処理をする。これを前提にして、光通信機能部は、光素子位置合わせ時、他の光通信装置から識別情報を受信し、この識別情報に基づく他の光通信装置の外形情報を読み出し、この外形情報に基づいて外形映像を表示部に表示するようになる。
【００３５】
従って、第３の光通信装置の表示部に表示された外形映像に沿って他の光通信装置を載置すると、当該光通信装置の光素子配設位置と、他の光通信装置の光素子配設位置とを目視確認して位置合わせすることなく、自己整合的かつ自動的に２つの通信用の光素子を位置合わせできるようになる。
【００３６】
本発明に係る第４の光通信装置は、機器載置面に表示部が設けられた光通信装置を含む２つの光通信装置間で通信用の光素子を位置合わせして光通信処理をするシステムに適用可能な光通信装置であって、所定位置に配設された通信用の光素子と、表示部が設けられた光通信装置に対する光素子位置合わせ時の位置座標系における自機の外形映像と光素子の配置情報との関係を表示するための外形情報を読み出すための識別情報を記憶する記憶部と、この記憶部から読み出した識別情報に基づいて光通信処理をする光通信機能部とを備え、光通信機能部は、光素子位置合わせ時、機器載置面に表示部が設けられた光通信装置へ識別情報を送信することを特徴とするものである。
【００３７】
本発明に係る第４の光通信装置によれば、２つの光通信装置間で通信用の光素子が位置合わせされる場合に、光通信機能部は、所定位置に配設された通信用の光素子を有し、機器載置面に表示部が設けられた光通信装置に対する光素子位置合わせ時の位置座標系における自機の外形映像と通信用の光素子の配置情報との関係を表示する情報を外形情報としたとき、この外形情報を読み出すための認識情報を記憶部から読み出して光通信処理をする。これを前提にして、光通信機能部は、光素子位置合わせ時、機器載置面に表示部を設けられた光通信装置へ認識情報を送信するようになされる。
【００３８】
従って、機器載置面が設けられた光通信装置では、識別情報に基づく外形情報が読み出され、この外形情報に基づく外形映像が表示部に表示され、この外形映像に沿って当該第４の光通信装置を載置すると、機器載置面が設けられた光通信装置の光素子配設位置と、当該第２の光通信装置の光素子配設位置とを目視確認して位置合わせすることなく、自己整合的かつ自動的に２つの通信用の光素子を位置合わせできるようになる。
【発明の効果】
【００３９】
本発明に係る光通信システム及び光通信方法によれば、所定の位置に配設された通信用の光素子を有し、かつ、機器載置面に表示部を有して光通信処理をする第１の光通信装置を備え、第１の光通信装置は、当該光通信装置に対する光素子位置合わせ時の位置座標系における載置機器の外形映像と光素子配設位置との関係を表示するための端末情報（外形情報）を第２の光通信装置から受信し、この端末情報に基づいて表示部に第２の光通信装置の外形映像を表示するようにしたものである。
【００４０】
この構成によって、表示部に表示された外形映像に沿って第２の光通信装置を載置すると、第１の光通信装置の光素子配設位置と、第２の光通信装置の光素子配設位置とを光素子容姿を目視確認して位置合わせすることなく、自己整合的かつ自動的に２つの通信用の光素子を位置合わせできるようになる。これにより、２つの通信用の光素子が最適に位置合わせされた状態で、第１の光通信装置上に第２の光通信装置を載置したまま第１の光通信装置から第２の光通信装置へ所定のデータを伝送したり、第１の光通信装置と第２の光通信装置との間で所望の通信処理を実行できるようになる。しかも、第１の光通信装置では、複数の光源を有した表示部において、当該光源の一部が通信用の発光素子として使用されるので、光通信装置の構成を簡素化できると共に、当該機器における消費電力を低減できるようになる。
【００４１】
本発明に係る第１の光通信装置によれば、通信用の光素子が位置合わせされる機器載置面に設けられた表示部に載置された他の光通信装置との間で光通信処理をする光通信機能部を備え、この光通信機能部は、他の光通信装置から外形情報を受信し、この外形情報に基づく他の光通信装置の外形映像を表示部に表示するものである。
【００４２】
この構成によって、表示部に表示された外形映像に沿って他の光通信装置を載置すると、第１の光通信装置の光素子配設位置と、他の光通信装置の光素子配設位置とを目視確認して位置合わせすることなく、自己整合的かつ自動的に２つの通信用の光素子を位置合わせできるようになる。これにより、２つの通信用の光素子が最適に位置合わせされた状態で、第１の光通信装置上に他の光通信装置を載置したまま第１の光通信装置から他の光通信装置へデータを送信したり、第１の光通信装置と他の光通信装置との間で所望の通信処理を実行できるようになる。しかも、複数の光源を有した表示部において、当該光源の一部が通信用の発光素子として使用されるので、第１の光通信装置の構成を簡素化できると共に、当該機器における消費電力を低減できるようになる。
【００４３】
本発明に係る第２の光通信装置によれば、光素子位置合わせ時、位置座標系における自機の外形映像と通信用の光素子の配置情報との関係を表示するための外形情報に基づいて光通信処理をする光通信機能部を備え、この光通信機能部は、機器載置面に表示部が設けられた光通信装置へ外形情報を送信するものである。
【００４４】
この構成によって、機器載置面が設けられた光通信装置の表示部に表示された外形映像に沿って当該第２の光通信装置を載置すると、機器載置面が設けられた光通信装置の光素子配設位置と、当該第２の光通信装置の光素子配設位置とを目視確認して位置合わせすることなく、自己整合的かつ自動的に２つの通信用の光素子を位置合わせできるようになる。これにより、２つの通信用の光素子が最適に位置合わせされた状態で、機器載置面が設けられた光通信装置上に第２の光通信装置を載置したまま当該光通信装置から当該第２の光通信装置へデータを送信したり、機器載置面が設けられた光通信装置と当該第２の光通信装置との間で所望の通信処理を実行できるようになる。
【００４５】
本発明に係る第３の光通信装置によれば、機器載置面に設けられた表示部に載置された他の光通信装置との間で光通信処理をする光通信機能部を備え、この光通信機能部は、他の光通信装置から識別情報を受信し、この識別情報に基づく他の光通信装置の外形情報を読み出し、この外形情報に基づいて外形映像を表示部に表示するものである。
【００４６】
この構成によって、第３の光通信装置の表示部に表示された外形映像に沿って他の光通信装置を載置すると、当該光通信装置の光素子配設位置と、他の光通信装置の光素子配設位置とを目視確認して位置合わせすることなく、自己整合的かつ自動的に２つの通信用の光素子を位置合わせできるようになる。これにより、２つの通信用の光素子が最適に位置合わせされた状態で、機器載置面が設けられた第３の光通信装置から他の光通信装置へデータを送信したり、第３の光通信装置と他の光通信装置との間で所望の通信処理を実行できるようになる。しかも、複数の光源を有した表示部において、当該光源の一部が通信用の発光素子として使用されるので、第３の光通信装置の構成を簡素化できると共に、当該機器における消費電力を低減できるようになる。
【００４７】
本発明に係る第４の光通信装置によれば、機器載置面に表示部が設けられた光通信装置に対する光素子位置合わせ時の位置座標系における自機の外形映像と通信用の光素子の配置情報との関係を表示するための外形情報に基づいて光通信処理をする光通信機能部を備え、この光通信機能部は、光素子位置合わせ時、機器載置面に表示部が設けられた光通信装置へ識別情報を送信するものである。
【００４８】
この構成によって、機器載置面が設けられた光通信装置では、識別情報に基づく外形情報が読み出され、この外形情報に基づく外形映像が表示部に表示され、この外形映像に沿って当該第４の光通信装置を載置すると、機器載置面が設けられた光通信装置の光素子配設位置と、当該第２の光通信装置の光素子配設位置とを目視確認して位置合わせすることなく、自己整合的かつ自動的に２つの通信用の光素子を位置合わせできるようになる。これにより、２つの通信用の光素子が最適に位置合わせされた状態で、機器載置面が設けられた光通信装置上に第４の光通信装置を載置したまま当該光通信装置から当該第４の光通信装置へデータを送信したり、機器載置面が設けられた光通信装置と当該第４の光通信装置との間で所望の通信処理を実行できるようになる。
【発明を実施するための最良の形態】
【００４９】
続いて、この発明に係る光通信システム、光通信方法及び光通信装置の一実施例について、図面を参照しながら説明をする。
【実施例１】
【００５０】
図１は、第１の実施例としての光データ通信システム１００の構成例を示す図である。この実施例では、光通信装置１及び端末装置２との間で外形映像Ｐａ等に基づいて光素子の配設位置を合わせて、所望の光通信処理を実行できるようにしたものである。
【００５１】
図１に示す光データ通信システム１００は、近距離光及び接近光の２つの光通信機能付きの光通信装置１や、同機能付きの端末装置２等の２つの光通信装置間で、特に、両装置接近時、通信用の光素子を位置合わせして、光通信処理をするシステムである。
【００５２】
光通信装置１は、第１の光通信装置の機能を構成し、所定形状の筐体及び、当該筐体の所定位置に配設された通信用の光素子１５を有して光通信処理をする。筐体上面にはＬＣＤパネル１２２が設けられる。この例で表示機能部１２の上面が機器載置面（光伝送面）を成し、光素子１５は透過型のＬＣＤパネル１２２に設けられている。ＬＣＤパネル１２２は、ＬＥＤ素子１０３に対して光学的なフィルタの役割を果たし、外形表示を与える部分において光を透過し、そうでない部分において遮断するように動作する。
【００５３】
光素子１５には、ＬＥＤ素子１０３（発光素子）及びフォトディテクタ２０１（受光素子）が含まれている。この例で、ＬＣＤパネル１２２下のバックライトと、光素子１５のＬＥＤ素子１０３とが共通化される。すなわち、光素子１５のＬＥＤ素子１０３には、ＬＣＤパネル１２２と組み合わされるバックライトが利用される。
【００５４】
フォトディテクタ２０１は、例えば、相手方の端末装置２から可視光を受信する際の受光感度を最大にする位置に配設されている。この例で光素子１５のフォトディテクタ２０１は、ＬＣＤパネル１２２の表示画面内に設けられる。例えば、光素子１５のＬＥＤ１０３と、フォトディテクタ２０１とが同一面上に配置される。つまり、光通信装置１と端末装置２において、各々のＬＥＤ素子１０３とフォトディテクタ２０１とが、互いに対向する位置関係に配置されている。
【００５５】
光通信装置１には、携帯電話機や、音楽プレーヤ、ゲーム機、デジタルカメラ等の端末装置２を機器載置面に置くことによって、光通信処理が行える近距離光及び接近光の２つの光通信機能を有しているものが使用される。近距離光による光通信機能とは、光通信装置１と端末装置２とが、ある程度の距離を保っている状態で可視光方式により光通信処理する動作をいう。接近光による光通信機能とは、光通信装置１と端末装置２とが近接し、当該装置同士が接触し、又は、非接触の状態で可視光方式により光通信処理する動作をいう。
【００５６】
このように光通信装置１は、共通の光源によって、端末装置２へのデータの伝送と、機器載置面（光伝送面）における端末装置２の外形表示とを実行する。例えば、機器載置面上における端末装置２の外形形状は、ＬＣＤパネル１２２によって表示され、この光源にはＬＣＤパネル１２２のバックライトが使用される。これと共に、同一の光源を使用して、端末装置２へのデータ伝送を実行する。
【００５７】
端末装置２は、第２の光通信装置の機能を構成し、所定位置に配設された通信用の光素子２７を有し、かつ、当該光素子２７を光通信装置１の光素子１５に位置合わせされるための光素子位置合わせ用の端末情報Ｄ０を有して光通信処理をするものである。端末装置２には携帯電話機や、音楽プレーヤ、ゲーム機、デジタルカメラ等が適用され、いずれも近距離光及び接近光の２つの光通信機能を有しているものが使用される。
【００５８】
光素子２７にも、ＬＥＤ素子１０３（発光素子）及びフォトディテクタ２０１（受光素子）が含まれている。光素子２７のＬＥＤ素子１０３及びフォトディテクタ２０１は、例えば、端末装置２の筐体背面に配置される。光素子２７も、例えば、相手方の光通信装置１から可視光を受信する際の受光感度を最大にする位置に配設されている。
【００５９】
この例で、ユーザがこれらの端末装置２を光通信装置１に近づけた際に、近距離光による光通信機能によって、例えば、端末装置２の外形映像ＰａがＬＣＤパネル１２２上で浮かび上がるように表示される。このとき、外形映像Ｐａは、光通信装置１の光素子１５の配設位置座標と、端末装置２の光素子２７の配設位置座標とが合致し、高効率の光通信処理が可能なレイアウトでＬＣＤパネル１２２に表示される。
【００６０】
図２は、光データ通信システム１００における光通信装置１及び端末装置２の内部構成例を示すブロック図である。この例では、光通信装置１の構成例及び端末装置２の構成例に分けて説明する。
【００６１】
図２に示す光通信装置１は、近距離光及び接近光の２つの光通信機能を有している。更に、光通信装置１は、端末装置２から端末情報Ｄ０を受信し、この端末情報Ｄ０に基づいて携帯電話機や、音楽プレーヤ、ゲーム機、デジタルカメラ等の端末装置２の外形映像Ｐａを表示する機能を有している。
【００６２】
光通信装置１は、例えば、表示機能部１２、光通信機能部１３及び主要制御部１４を有して構成される。表示機能部１２は、ＬＣＤ（液晶表示素子）駆動回路１２１及びＬＣＤパネル１２２を有して構成される。ＬＣＤ駆動回路１２１は主要制御部１４に接続され、表示データＤ１２に基づいてＬＣＤパネル１２２を駆動するようになされる。表示データＤ１２は、主要制御部１４からＬＣＤ駆動回路１２１に出力される。
【００６３】
ＬＣＤ駆動回路１２１には、ＬＣＤパネル１２２が接続され、表示データＤ１２に基づく映像が表示される。この例でＬＣＤパネル１２２は、携帯電話機や、音楽プレーヤ、ゲーム機、デジタルカメラ等の端末装置２の外形映像Ｐａを機器載置面において表示する機能を有している。例えば、端末装置２等が機器載置面上に載置される前に、ＬＣＤパネル１２２が光通信機能部１３及び主要制御部１４を介して外形情報Ｄ１を取得し、表示データＤ１２＝Ｄ１＋Ｄ２＝Ｄ０に基づく携帯電話機や、音楽プレーヤ、ゲーム機、デジタルカメラ等の外形映像Ｐａを表示する。
【００６４】
すなわち、外形映像Ｐａは、機器載置面上に端末装置２が機器載置面上に載置される前にＬＣＤパネル１２２に表示される。この表示はユーザに対して携帯電話機や、音楽プレーヤ、ゲーム機、デジタルカメラ等の載置方法を明示するためである。表示機能部１２には、ＬＣＤパネル１２２の他に、例えば、プロジェクションによる表示が可能な表示デバイスが使用される。ＬＣＤパネル１２２の下部には、光源の一例を構成するＬＣＤ用の複数のバックライトが設けられている。この例では、ＬＣＤパネル１２２に対するバックライトの一部又は全部が光通信機能部１３における通信用の発光素子（ＬＥＤ素子１０３）として使用される。
【００６５】
上述の主要制御部１４には光通信機能部１３が接続される。光通信機能部１３は、光送信部３１及び光受信部３２を有して構成される。光送信部３１は、変調回路１０１、ＬＥＤ駆動回路１０２及びＬＥＤ素子１０３（光源）を有して構成される。変調回路１０１は、主要制御部１４からデジタルの送信データＤoutを入力して所定の変調方式により変調し、変調データＤｘを出力する。変調データＤｘはＬＥＤ駆動回路１０２へ出力される。
【００６６】
変調回路１０１にはＬＥＤ駆動回路１０２が接続され、変調データＤｘに基づく変調駆動信号Ｓｘを生成し、この変調駆動信号ＳｘをＬＥＤ素子１０３に出力してオンオフ駆動するようになされる。ＬＥＤ駆動回路１０２にはＬＥＤ素子１０３が接続される。光送信部３１では、当該ＬＥＤ素子１０３が変調駆動信号Ｓｘに基づいて高速に点滅することで、当該変調駆動信号Ｓｘが可視光（光信号）に変換される。このように送信データＤoutを可視光に変換して相手方の端末装置２等へ送信できるようになる。この動作は光通信装置１における近距離光及び接近光による２つの光送信機能を具現化する。
【００６７】
光受信部３２は、フォトディテクタ２０１、増幅回路２０２及び復調回路２０３を有して構成される。
【００６８】
フォトディテクタ２０１は、相手方の端末装置２等から受光した可視光を電気信号に変換する。フォトディテクタ２０１には増幅回路２０２が接続され、当該フォトディテクタ２０１から出力される電気信号を増幅するようになされる。増幅回路２０２には復調回路２０３が接続され、増幅後の電気信号を復調して受信データＤinを出力する。受信データＤinは復調回路２０３から主要制御部１４へ出力される。この動作は光通信装置１における近距離光及び接近光による２つの光受信機能を具現化する。なお、上述の光送信部３１のＬＥＤ素子１０３と、光受信部３２のフォトディテクタ２０１が光素子１５を構成する。
【００６９】
この例で光通信機能部１３は、機器載置面上に近付けられ、そして、機器載置面上に載置された携帯電話機や、音楽プレーヤ、ゲーム機、デジタルカメラ等の端末装置２との間で光通信処理をする。例えば、光通信機能部１３は、近距離光通信時、無線通信システムのように定期的にビーコンフレームＦ１を送出し、機器載置面上に近付けられた端末装置２から端末通知求フレームＦ２を受信して外形情報Ｄ１を受信する（図５参照）。要は、端末装置２等と光通信処理を行うための機能を有した可視光通信方式の光通信機能が実装されていればよい。
【００７０】
光通信機能部１３に接続された主要制御部１４は、表示機能部１２及び光通信機能部１３の入出力を集中制御する。例えば、主要制御部１４は、光通信機能部１３が端末装置２から受信した外形情報Ｄ１及び座標情報Ｄ２を入力し、この外形情報Ｄ１及び座標情報Ｄ２をＬＣＤ駆動回路１２１に出力して、当該端末装置２の外形映像Ｐａを機器載置面で表示するように制御する。主要制御部１４は、ＣＰＵ（中央処理装置）、ＲＯＭ（読出し専用メモリ）、ＲＡＭ（情報随時書込み読み出し可能なメモリ）等を使用して構成される。
【００７１】
このように光データ通信システム１００を構成すると、光通信装置１と端末装置２との間で光素子１５，２７の配置位置を合わせて光通信処理をする場合に、光通信機能部１３は、端末装置２から外形情報Ｄ１を受信する。ＬＣＤパネル１２２は、この外形情報Ｄ１に基づく照明光により端末装置２の外形映像Ｐａを表示するようになる。例えば、光通信装置１の機器載置面のＬＣＤパネル１２２には、光通信ポイントを与える外形映像Ｐａが表示される。
【００７２】
従って、ＬＣＤパネル１２２に表示された外形映像Ｐａに沿って端末装置２を載置すると、光通信装置１の光素子１５の配設位置と、端末装置２の光素子２７の配設位置とを目視確認して位置合わせすることなく、自己整合的かつ自動的にＬＥＤ素子１０３及びフォトディテクタ２０１を位置合わせできるようになる。しかも、上述の照明光による可視光通信により、光通信装置１から端末装置２へデータを伝送できるようになる。
【００７３】
上述の光通信装置１によって、光通信処理される端末装置２は、携帯電話機や音楽プレーヤ、ゲーム機、デジタルカメラ等で光通信機能を有したものであり、当該光データ通信システム１００で適用可能なものである。
【００７４】
端末装置２は端末情報Ｄ０を有している。ここに端末情報Ｄ０とは、端末装置２で管理される情報をいう。端末情報Ｄ０には、外形情報Ｄ１や座標情報Ｄ２が含まれる。ここに外形情報Ｄ１とは、当該光通信装置１のＬＣＤパネル１２２に対する接近光通信時の位置座標系における当該端末装置２（自機）の外形映像Ｐａと光素子２７の配設位置座標との関係を表示するための情報をいう。座標情報Ｄ２とは、当該光通信装置１に対して最適な光通信ポイントを与える情報をいう。
【００７５】
端末装置２は、例えば、図２に示すように光通信機能部２４、主要制御部２５、端末情報格納部２６、表示機能部２８、情報格納部２９及び入力部３３を備えて構成される。上述の主要制御部２５には光通信機能部２４が接続される。光通信機能部２４は、光送信部４１及び光受信部４２を有して構成される。
【００７６】
光送信部４１は、変調回路１０１、ＬＥＤ駆動回路１０２及びＬＥＤ素子１０３（光源）を有して構成される。変調回路１０１は主要制御部２５からデジタルの送信データＤoutを入力して所定の変調方式により変調し、変調データＤｘを出力する。変調データＤｘはＬＥＤ駆動回路１０２へ出力される。
【００７７】
変調回路１０１にはＬＥＤ駆動回路１０２が接続され、変調データＤｘに基づく変調駆動信号ＳｘをＬＥＤ素子１０３に出力してオンオフ駆動するようになされる。ＬＥＤ駆動回路１０２にはＬＥＤ素子１０３が接続され、当該ＬＥＤ素子１０３が変調駆動信号Ｓｘに基づいて高速に点滅することで、当該変調駆動信号Ｓｘが可視光（光信号）に変換される。このように可視光に変換されたデータを相手方の光通信装置１へ送信できるようになる。この動作は端末装置２における近距離光及び接近光による２つの光送信機能を具現化する。
【００７８】
光受信部４２は、フォトディテクタ２０１、増幅回路２０２及び復調回路２０３を有して構成される。フォトディテクタ２０１は、相手方の光通信装置１から受光した可視光を電気信号に変換する。フォトディテクタ２０１には増幅回路２０２が接続され、当該フォトディテクタ２０１から出力される電気信号を増幅する。増幅回路２０２には復調回路２０３が接続され、増幅後の電気信号を復調して受信データＤinを出力する。受信データＤinは復調回路２０３から主要制御部２５へ出力される。この動作は端末装置２における近距離光及び接近光による２つの光受信機能を具現化する。なお、上述の光送信部４１のＬＥＤ素子１０３と、光受信部４２のフォトディテクタ２０１が光素子２７を構成する。
【００７９】
この例で光通信機能部２４は、光通信装置１と光通信処理を行うようになされる。例えば、光通信機能部２４は、近距離光通信時、端末情報格納部２６から読み出された外形情報Ｄ１を光通信装置１へ送信するようになされる。光通信機能部２４には、光通信装置１と同様な近距離光及び接近光の２つの光通信機能を具現する可視光通信方式が実装される。
【００８０】
復調回路２０３及び変調回路１０１に接続された主要制御部２５は、光通信機能部２４、端末情報格納部２６、表示機能部２８、情報格納部２９及び入力部３３の入出力を制御する。主要制御部２５は、光通信装置１の主要制御部１４と同様にして、ＣＰＵ（中央処理装置）、ＲＯＭ（読出し専用メモリ）、ＲＡＭ（情報随時書込み読み出し可能なメモリ）等を使用して構成され、例えば、当該端末装置２の一部、あるいは、全体を制御するようになされる。
【００８１】
主要制御部２５には、記憶部の機能を構成する端末情報格納部２６が接続され、携帯電話機や音楽プレーヤ、ゲーム機、デジタルカメラ等の端末装置固有の端末情報Ｄ０を記憶する。端末情報Ｄ０は外形情報Ｄ１＋座標情報Ｄ２である。端末情報格納部２６には、例えば、所定の光通信ポイントを与える座標情報Ｄ２が格納される。なお、端末情報Ｄ０の他に電話番号情報や、ユーザ情報等も格納される。
【００８２】
端末情報格納部２６には、ＥＥＰＲＯＭ（電気的な情報書込み及び消去可能な読み出し専用メモリ）や、固定記憶ディスク装置（ハードディスク：ＨＤＤ）等の不揮発メモリが使用される。不揮発メモリはデータが随時書込可能であって、電源が切られても、データを保持するメモリである。外形情報Ｄ１や座標情報Ｄ２は、端末装置２等の外形映像Ｐａを表示するために使用される。端末情報Ｄ０は、例えば、ビットマップ情報によって表現される。
【００８３】
主要制御部２５には表示機能部２８、情報格納部２９及び入力部３３が接続され、光通信処理時に使用される。例えば、表示機能部２８には光通信処理中を示す映像や、タイトル映像等が表示される。情報格納部２９には、光通信装置１から送信されてきたデータが格納される（下り情報）。
【００８４】
また、端末装置２がデジタルカメラ等の場合、情報格納部２９には、静止画情報が格納（蓄積）され、接近光通信時、端末装置２から静止画情報（上り情報）が読み出されて光通信装置１へ転送するようになされる。情報格納部２９には、端末情報格納部２６と同様にして、ＥＥＰＲＯＭや、ＨＤＤ等の不揮発メモリが使用される。もちろん、情報格納部２９と端末情報格納部２６とを兼用してもよい。入力部３３は、これらの光通信処理の際に、転送スタート入力を指示したり、情報格納部２９に蓄積された静止画情報を確認等する場合に操作される。
【００８５】
このように端末装置２を構成すると、当該端末装置２のＬＥＤ素子１０３と、光通信装置１のフォトディテクタ２０１を位置合わせして可視光方式により光通信処理をする場合に、光通信機能部２４は、近距離光通信時、光通信装置１へ外形情報Ｄ１を送信するようになされる。従って、光通信装置１のＬＣＤパネル１２２に表示された外形映像Ｐａに沿って端末装置２等を載置すると、光通信装置１のフォトディテクタ２０１の配設位置と、当該端末装置２のＬＥＤ素子１０３の配設位置とを目視確認して位置合わせすることなく、自己整合的かつ自動的にＬＥＤ素子１０３及びフォトディテクタ２０１を位置合わせできるようになる。これにより、接近光通信時、端末装置２に対して高効率により光通信処理を実行できるようになり、従来方式の光通信システムに比べてより高度な光データ通信システム１００を構築できるようになる。
【００８６】
図３Ａ及びＢはＬＣＤパネル１２２の表示領域例及び端末情報Ｄ０のイメージ例を示す図である。  
図３Ａに示す光通信装置１のＬＣＤパネル１２２は、表示領域Ｉを有している。表示領域Ｉは、横方向（行方向）の画素がＡ個であり、縦方向の画素（列方向）がＢ個であるマトリクス状を成している。ＬＣＤパネル１２２の機器載置面に位置座標系ＸＹを定義したとき、位置座標系ＸＹで示すと、表示領域Ｉは、行方向が座標（ｘ，ｙ）＝（０，０）〜（Ｃ，０）であり、列方向が座標（ｘ，ｙ）＝（０，Ｄ）〜座標（Ｃ，Ｄ）である。この例では、フォトディテクタ２０１の配設位置の座標（ｘ，ｙ）＝（ｃ，ｄ）が設定され、この座標（ｃ，ｄ）を示す座標情報Ｄ２が光通信装置１における光通信ポイントを示す特定ビットとなっている。
【００８７】
図３Ｂに示す端末情報Ｄ０のイメージ例によれば、端末装置２等の外形映像Ｐａをビットマップ領域IIｃ上でデジタル表示するようになされる。ビットマップ領域IIｃは、横方向（行方向）の画素がＭビットであり、縦方向の画素（列方向）がＮビットであるマトリクス状（Ｍ×Ｎビット）を成している。端末情報Ｄ０は、Ｍ×Ｎビットのビットマップ領域IIｃにおいて表現される。ビットマップのディメンジョンは、光通信装置１のＬＣＤパネル１２２のディメンジョンと同一である。
【００８８】
すなわち、ＬＣＤパネル１２２の機器載置面に定義された位置座標系ＸＹで示すと、ビットマップ領域IIｃは、行方向が座標（ｘ，ｙ）＝（０，０）〜（Ｍ，０）であり、列方向が座標（ｘ，ｙ）＝（０，Ｎ）〜座標（Ｍ，Ｎ）である。この例では、ＬＥＤ素子１０３の配設位置の座標（ｘ，ｙ）＝（ｍ，ｎ）が設定され、この座標（ｍ，ｎ）を示す座標情報Ｄ２が端末装置２における光通信ポイントを示す特定ビットとなっている。
【００８９】
この例では、各ビットの（０，１）に対応して、外形映像Ｐａがビットマップ領域IIｃに展開（表現）される。外形映像Ｐａは、端末装置２の外観形状、例えば、その投影形状を表示可能な影絵風に模したものである。このビットマップ領域IIｃにおける端末装置２の外形映像Ｐａは、黒べた部分で論理値が例えば「０」であり、この外形映像Ｐａを囲む非外形部分は、白抜き□部分で論理値「１」で示している。この論理値は、ビットマップ領域IIｃ上で外形映像Ｐａをデジタル表示するようにしたためである。このように端末情報Ｄ０が外形情報Ｄ１や座標情報Ｄ２等のビットマップ情報によって表現される。
【００９０】
図４は、ＬＣＤパネル１２２における外形映像Ｐａの表示例を示す図である。図４に示す外形映像Ｐａの表示例によれば、ＬＣＤパネル１２２の機器載置面に定義された位置座標系ＸＹにおいて、主要制御部２５で座標（ｘ，ｙ）＝（ｃ，ｄ）を示す座標情報Ｄ２と座標（ｘ，ｙ）＝（ｍ，ｎ）を示す座標情報Ｄ２とを合致させるように表示機能部１２を制御する。
【００９１】
この例では、表示領域Ｉの行方向の座標（ｘ，ｙ）＝（０，０）〜（Ｃ，０）にビットマップ領域IIｃの行方向の座標（ｘ，ｙ）＝（０，０）〜（Ｃ，０）が当て嵌められ、その列方向の座標（ｘ，ｙ）＝（０，０）〜（０，Ｄ）にビットマップ領域IIｃの列方向の座標（ｘ，ｙ）＝（０，０）〜（０，Ｄ）が各々当て嵌められる。これにより、光通信装置１における光通信ポイントの特定ビットとなっている光素子１５の配設位置と、端末装置２における光通信ポイントの特定ビットとなっている光素子２７の配設位置とを一致させることができる。
【００９２】
続いて、本発明に係る光通信方法について、光データ通信システム１００における光通信処理例について説明する。  
図５は、光データ通信システム１００における光通信処理例を示すシーケンスチャートである。このシーケンスチャートは、光通信装置１と端末装置２と間の光通信処理におけるフレームシーケンスを示すものである。
【００９３】
この例では、所定位置に配設された光素子１５を有し、かつ、機器載置面にＬＣＤパネル１２２を有して光通信処理をする光通信装置１と、所定位置に配設された光素子２７を有し、かつ、当該光素子２７を光素子１５に位置合わせされるための光素子位置合わせ用の端末情報Ｄ０を有して光通信処理をする端末装置２との間で可視光方式により光通信処理をする場合を前提とする。近距離光通信時には、端末装置２が光通信装置１へ端末情報Ｄ０を送信し、光通信装置１が端末装置２から端末情報Ｄ０を受信し、端末情報Ｄ０に基づいてＬＣＤパネル１２２に端末装置２の外形映像Ｐａを表示する場合を例に挙げる。
【００９４】
これらを光通信条件にして、光通信装置１は、図５に示すステップＳＴ１１で無線通信システムのように定期的にビーコンフレームＦ１を送出する。このときは、光通信装置１と端末装置２間で近距離光による可視光方式の通信機能を利用する。そして、ユーザが端末装置２等を光通信装置１に近づけると、端末装置２は、ステップＳＴ１２で送出されたビーコンフレームＦ１を受信する。このビーコンフレームＦ１に対応して、ステップＳＴ１３で端末装置２は光通信装置１へ端末通知フレームＦ２を送信する。
【００９５】
光通信装置１は端末装置２からの端末通知フレームＦ２を受信し、ステップＳＴ１４で端末装置２へ接続要求フレームＦ３を送信する。その後、端末装置２は接続要求フレームＦ３を受信し、ステップＳＴ１５で光通信装置１へ接続応答フレームＦ４を送信する。
【００９６】
光通信装置１は端末装置２からの接続応答フレームＦ４を受信し、ステップＳＴ１６で端末装置２へ端末情報要求フレームＦ５を送信する。その後、端末装置２は端末情報要求フレームＦ５を受信し、ステップＳＴ１７で光通信装置１へ端末情報応答フレームＦ５を送信する。このとき、端末装置２では端末情報格納部２６から端末情報Ｄ０が読み出され、端末情報応答フレームＦ６に端末情報Ｄ０を記述（付加）して光通信装置１に送信するようになされる。端末情報Ｄ０は外形情報Ｄ１＋座標情報Ｄ２である。この端末装置２の固有の端末情報Ｄ０も、端末装置２のｌｅｄ素子１０３から発せられる照明光によって光通信装置１に伝送される。
【００９７】
次に、光通信装置１は、端末装置２からの端末情報応答フレームＦ５を受信し、ステップＳＴ１８でＬＣＤパネル１２２に当該端末装置２の外形映像Ｐａを表示する。この例では、光通信装置１のＬＣＤパネル１２２において、図３Ａで示した表示領域Ｉに、図３Ｂで示した端末装置２に関するビットマップ情報を当てはめられ、図４に示したような端末装置２の外形映像Ｐａが表示される。
【００９８】
このとき、光通信装置１は、端末装置２において光通信ポイントを与える座標情報Ｄ２を、自身の光通信ポイントを与える座標情報Ｄ２と一致させて、外形映像Ｐａを表示する。この例では、光通信装置１の機器載置面（光伝送面）上で端末装置２の最適な載置場所が照明表示される。その最適な載置場所は、全体が照明光によって照らされる形態で行われる。
【００９９】
以上のフレームシーケンスは、全て自動的に行われ、端末装置２を光通信装置１に近づけるというユーザ行為により、光通信装置１では端末装置２の外形表示までが行われる。そして、当該端末装置２を取り扱うユーザは、光通信装置１のＬＣＤパネル１２２に表示された外形映像Ｐａに沿って当該端末装置２を載置するようになされる。
【０１００】
その後、ステップＳＴ１９で光通信装置１から端末装置２へ接近光（変調された照明光）による可視光方式で光通信処理（下りデータ）がなされ、又は／及びステップＳＴ２０で端末装置２から光通信装置１へ接近光による可視光方式で光通信処理（上りデータ）等がなされる。この上り・下りデータの送信は、光通信装置１及び端末装置２のＬＥＤ素子１０３による照明光（可視光）の発光によって実行され、その受信は、光通信装置１及び端末装置２のフォトディテクタ２０１による照明光（可視光）の受光によって実行される。
【０１０１】
このように、第１の実施例としての光データ通信システム及び光通信方法によれば、光通信装置１と携帯電話機や音楽プレーヤ、ゲーム機、デジタルカメラ等の端末装置２との間で光素子１５と、光素子２７とを位置合わせして可視光方式により端末装置２と光通信処理する場合に、光通信装置１は、予め端末装置２に関する端末情報Ｄ０を持つことなく、これらの端末装置２から端末情報Ｄ０＝（Ｄ１＋Ｄ２）を受信し、この端末情報Ｄ０に基づいてＬＣＤパネル１２２に端末装置２の外形映像Ｐａを表示するようになる。
【０１０２】
従って、光通信装置１と携帯電話機や音楽プレーヤ、ゲーム機、デジタルカメラ等の端末装置２とを最適な光通信ポイントで位置合わせできるようになる。上述した例では、近距離光通信時、光通信装置１のＬＣＤパネル１２２に表示された外形映像Ｐａに沿って携帯電話機や音楽プレーヤ、ゲーム機、デジタルカメラ等の端末装置２を載置すると、光通信装置１の光素子１５の配設位置と、端末装置２の光素子２７の配設位置とを目視確認して位置合わせすることなく、自己整合的かつ自動的に２つの光素子１５及び光素子２７を位置合わせできるようになる。
【０１０３】
これにより、ＬＥＤ素子１０３及びフォトディテクタ２０１が最適に位置合わせされた状態で、光通信装置１と端末装置２との間で可視光方式による光通信処理を実行できるようになる。しかも、光通信装置１では、複数のバックライトを有した表示機能部１２において、当該バックライトの一部又は全体が共通の光源として、通信用のＬＥＤ素子１０３としても使用されるので、光通信装置１の構成を簡素化できる共に、当該光通信装置１における消費電力を低減できるようになる。また、携帯電話機や音楽プレーヤ、ゲーム機、デジタルカメラ等の端末装置２を光通信装置１の機器載置面に載置するというユーザの簡単な行為によって、接近光による光通信処理が実行可能なな光データ通信システムを提供できるようになった。
【実施例２】
【０１０４】
図６は、第２の実施例としての光データ通信システム２００の構成例を示す図である。この実施例では、１画素点灯可能なＬＥＤ素子１２３を集合したＬＥＤ表示アレイ２２が備えられ、当該ＬＥＤ表示アレイ２２の１画素又は複数の画素を通信用のＬＥＤ素子１０３（発光素子）として使用される。この例でも、近距離光通信により、光通信装置１０及び端末装置２との間で外形映像Ｐａ等に基づいて光素子１５，２７の配設位置を合わせ、接近光通信処理により、所望の光通信処理を実行できるようにしたものである。
【０１０５】
図６に示す光データ通信システム２００は、近距離光及び接近光の２つの光通信機能付きの光通信装置１０や、同機能付きの端末装置２等の２つの光通信装置間で、通信用の光素子１５，２７の位置合わせをして、光通信処理をするシステムである。
【０１０６】
光通信装置１０は、第１の光通信装置の機能を構成し、所定形状の筐体及び、当該筐体の所定位置に配設された通信用の光素子１５を有して光通信処理をする。筐体上面にはＬＥＤ表示アレイ２２が設けられる。ＬＥＤ表示アレイ２２は、複数のＬＥＤ素子１２３（光源）をマトリクス（格子）状に並べられたものである。この例でＬＥＤ表示アレイ２２の上面が機器載置面（光伝達面）を成し、光素子１５はＬＥＤ表示アレイ２２に設けられている。光素子１５には、ＬＥＤ素子１０３（発光素子）及びフォトディテクタ２０１（受光素子）が含まれている。
【０１０７】
光素子１５のＬＥＤ素子１０３には、ＬＥＤ表示アレイ２２の１画素又は複数の画素が利用される。すなわち、ＬＥＤ表示アレイ２２のＬＥＤ素子１２３がＬＥＤ素子１０３として共用される。フォトディテクタ２０１は、例えば、相手方の端末装置２から可視光を受信する際の受光感度を最大にする位置に配設されている。
【０１０８】
この例で光素子１５のフォトディテクタ２０１は、ＬＥＤ表示アレイ２２の表示画面内に設けられる。この例では、光通信機能部１３に適用される光素子１５のＬＥＤ１０３と、フォトディテクタ２０１とが同一面上に配置される。つまり、光通信装置１０と端末装置２において、各々のＬＥＤ素子１０３とフォトディテクタ２０１とが、互いに対向する位置関係に配置されている。
【０１０９】
光通信装置１０には、第１の実施例と同様にして携帯電話機や、音楽プレーヤ、ゲーム機、デジタルカメラ等の端末装置２を機器載置面に置くことによって、光通信処理が行える近距離光及び接近光の２つの光通信機能を有しているものが使用される。
【０１１０】
端末装置２は、第２の光通信装置の機能を構成し、所定位置に配設された通信用の光素子２７を有し、かつ、当該光素子２７を光通信装置１０の光素子１５に位置合わせされるための光素子位置合わせ用の端末情報Ｄ０を有して光通信処理をするものである。端末装置２には第１の実施例と同様にして、携帯電話機や、音楽プレーヤ、ゲーム機、デジタルカメラ等が適用され、いずれも近距離光及び接近光の２つの光通信機能を有しているものが使用される。
【０１１１】
端末装置２によれば、第１の光データ通信システム１００と同じく光通信機能部１３に適用される光素子２７のＬＥＤ素子（発光素子）１０３と、フォトディテクタ（受光素子）２０１とが当該光通信装置１０に対する配置面（例えば、携帯電話機の背面）に配置される。もちろん、端末装置２の表示部上に光素子２７を設けてもよい。要は、相手方の光通信装置１０から可視光を受信する際の受光感度を最大にする位置に配設されていればよい。
【０１１２】
この例で、ユーザがこれらの端末装置２を光通信装置１０に近づけた際に、第１の実施例と同様にして、近距離光による光通信機能によって、例えば、端末装置２の外形映像ＰａがＬＥＤ表示アレイ２２上で浮かび上がるように表示される。このとき、外形映像Ｐａは、光通信装置１０の光素子１５の配設位置座標と、端末装置２の光素子２７の配設位置座標とが合致し、高効率の光通信処理が可能なレイアウトでＬＥＤ表示アレイ２２に表示される。
【０１１３】
図７は、光データ通信システム２００における光通信装置１０及び端末装置２の内部構成例を示すブロック図である。  
この例では、光通信装置１０の構成例について説明をし、端末装置２の構成例については、第１の実施例で説明しているので、その説明を省略する。
【０１１４】
図７に示す光通信装置１０は、近距離光及び接近光の２つの光通信機能を有している。更に、光通信装置１０は、端末装置２から端末情報Ｄ０を受信し、この端末情報Ｄ０に基づいて携帯電話機や、音楽プレーヤ、ゲーム機、デジタルカメラ等の端末装置２の外形映像Ｐａを表示する機能を有している。
【０１１５】
光通信装置１０は、例えば、ＬＥＤ表示アレイ２２、光通信機能部１３及び主要制御部１４を有して構成される。ＬＥＤ表示アレイ２２は、複数のＬＥＤ素子１２３及びＬＥＤ駆動回路１２４と、ＬＥＤ素子用の点灯回路１２５とを有して構成される。
【０１１６】
各々のＬＥＤ駆動回路１２４は点灯回路１２５に接続され、表示データＤ２２に基づいてＬＥＤ表示アレイ２２を駆動するようになされる。表示データＤ２２は、主要制御部１４から点灯回路１２５に出力される。
【０１１７】
各々のＬＥＤ駆動回路１２４には、１画素点灯可能なＬＥＤ素子１２３が接続され、表示データＤ２２に基づく映像が表示される。この例でＬＥＤ表示アレイ２２は、携帯電話機や、音楽プレーヤ、ゲーム機、デジタルカメラ等の端末装置２の外形映像Ｐａを機器載置面において表示する機能を有している。例えば、端末装置２等が機器載置面上に載置される前に、ＬＥＤ表示アレイ２２が光通信機能部１３及び主要制御部１４を介して外形情報Ｄ１を取得し、表示データＤ２２＝Ｄ１＋Ｄ２に基づく携帯電話機や、音楽プレーヤ、ゲーム機、デジタルカメラ等の外形映像Ｐａを表示する。
【０１１８】
すなわち、外形映像Ｐａは、機器載置面上に端末装置２が機器載置面上に載置される前にＬＥＤ表示アレイ２２に表示される。これは第１の実施例で説明した通りである。ＬＥＤ表示アレイ２２は、１画素点灯可能なＬＥＤ素子１２３を集合したＬＥＤ表示アレイ２２が備えられ、当該ＬＥＤ表示アレイ２２の１画素又は複数の画素を通信用のＬＥＤ素子１０３（発光素子）として使用される。
【０１１９】
上述の主要制御部１４には光通信機能部１３が接続される。光通信機能部１３は、光送信部３１及び光受信部３２を有して構成されるが、第１の実施例と同じ名称及び同じ符号のものは、同じ機能を有するのでその説明を省略する。
【０１２０】
この例でも、光通信機能部１３は、機器載置面上に近付けられ、そして、機器載置面上に載置された携帯電話機や、音楽プレーヤ、ゲーム機、デジタルカメラ等の端末装置２との間で光通信処理をする。例えば、光通信機能部１３は、近距離光通信時、無線通信システムのように定期的にビーコンフレームＦ１を送出し、機器載置面上に近付けられた端末装置２から端末通知求フレームＦ２を受信して外形情報Ｄ１を受信する（図５参照）。
【０１２１】
このときの端末装置２の載置場所は、ＬＥＤ表示アレイ２２でマトリクス状に並べられたＬＥＤ素子１２３の点灯により外形表示される。また、データはＬＥＤ素子１０３の点滅によって端末装置２へ送信される。要は、光通信装置１０と端末装置２とにおいて、光通信処理を行うための可視光通信方式の光通信機能が実装されていればよい。
【０１２２】
このように第２の実施例としての光データ通信システム２００によれば、光通信装置１０と端末装置２との間で光素子１５，２７の配置位置を合わせて光通信処理をする場合に、光通信機能部１３は、端末装置２から外形情報Ｄ１を受信する。ＬＥＤ表示アレイ２２は、この外形情報Ｄ１に基づく端末装置２の外形映像Ｐａを表示するようになる。例えば、光通信装置１０の機器載置面のＬＥＤ表示アレイ２２には、光通信ポイントを与える外形映像Ｐａが表示される。
【０１２３】
従って、ＬＥＤ表示アレイ２２に表示された外形映像Ｐａに沿って端末装置２を載置すると、光通信装置１０の光素子１５の配設位置と、端末装置２の光素子２７の配設位置とを目視確認して位置合わせすることなく、自己整合的かつ自動的にＬＥＤ素子１０３及びフォトディテクタ２０１を位置合わせできるようになる。
【実施例３】
【０１２４】
図８は、第３の実施例としての光データ通信システム３００の内部構成例を示すブロック図である。
【０１２５】
この実施例では、光通信装置３０１が予め携帯電話機や音楽プレーヤ、ゲーム機、デジタルカメラ等の端末装置３０に関する端末情報Ｄ０を有しており、光通信装置３０１が端末装置３０からの識別情報Ｄ３（固有の端末情報Ｄ０）を光通信機能部２４で受信し、この端末装置３０から受信した識別情報Ｄ３に基づいて当該端末装置３０に対応した外形映像Ｐａを表示するようになされる。
【０１２６】
図８に示す光データ通信システム３００によれば、第３の光通信装置の機能を構成する光通信装置３０１が機種別情報格納部１６を有している。機種別情報格納部１６は記憶部の機能を構成し、主要制御部２５に接続されて識別情報Ｄ３に対応した携帯電話機や音楽プレーヤ、ゲーム機、デジタルカメラ等の第４の光通信装置の機能を構成する端末装置３０の外形情報Ｄ１及び座標情報Ｄ２を記憶するものである。識別情報Ｄ３は固有の端末情報Ｄ０の一例を構成し、携帯電話機や音楽プレーヤ、ゲーム機、デジタルカメラ等の種別を識別する情報である。
【０１２７】
当該光通信装置３０１は、端末装置３０から識別情報Ｄ３を取得し、この識別情報Ｄ３に基づいて機種別情報格納部１６から端末装置３０の外形情報Ｄ１及び座標情報Ｄ２を読み出し、当該端末装置３０の外形映像Ｐａを機器載置面のＬＣＤパネル１２２に表示するようになされる。
【０１２８】
この表示がなされる結果、第３の実施例でも、第１の実施例と同様にして、ユーザが端末装置３０を光通信装置３０１に近づけるという行為によって、光通信装置３０１は、自動的に端末装置３０の外形映像Ｐａを表示することができ、ユーザは、簡単な行為により、様々な端末装置３０等の端末装置３０に対して接近光による光通信処理を行うことができる。なお、図８において、図７に示した第１の実施例の光データ通信システム２００と同じ符号のものは、同じ機能を有するので、その説明を省略する。
【０１２９】
続いて、光データ通信システム３００における光通信処理例について説明する。図９は、光データ通信システム３００におけるデータ通信処理例を示すシーケンスチャートである。このシーケンスチャートは、光通信装置３０１と携帯電話機や音楽プレーヤ、ゲーム機、デジタルカメラ等の端末装置３０と間の光通信処理におけるフレームシーケンスを示すものである。
【０１３０】
この例では、機種別情報格納部１６を有し、所定位置に配設された光素子１５を有し、かつ、機器載置面にＬＣＤパネル１２２を有して光通信処理をする光通信装置３０１と、所定位置に配設された光素子２７を有し、かつ、当該光素子２７を光素子１５に位置合わせされるための光素子位置合わせ用の端末情報Ｄ０を有し、識別情報Ｄ３に基づいて光通信処理をする端末装置３０との間で可視光方式により光通信処理をする場合を前提とする。近距離光通信時には、端末装置３０が光通信装置３０１へ端末情報Ｄ０＝識別情報Ｄ３を送信し、光通信装置３０１が端末装置３０から端末情報Ｄ０＝Ｄ３を受信し、識別情報Ｄ３に基づいてＬＣＤパネル１２２に端末装置３０の外形映像Ｐａを表示する場合を例に挙げる。
【０１３１】
光通信装置３０１は、図９に示すステップＳＴ３１で第１の実施例と同様にして、定期的にビーコンフレームＦ１を送出する。そして、ユーザが携帯電話機や音楽プレーヤ、ゲーム機、デジタルカメラ等の端末装置３０を光通信装置３０１に近づけると、端末装置３０は、ステップＳＴ４２で送出されたビーコンフレームＦ１を受信する。このビーコンフレームＦ１に対応して、ステップＳＴ３３で端末装置３０は光通信装置３０１へ端末通知フレームＦ２を送信する。
【０１３２】
光通信装置３０１は端末装置３０からの端末通知フレームＦ２を受信し、ステップＳＴ３４で端末装置３０へ接続要求フレームＦ３を送信する。その後、端末装置３０は接続要求フレームＦ３を受信し、ステップＳＴ３５で光通信装置３０１へ接続応答フレームＦ４を送信する。
【０１３３】
光通信装置３０１は端末装置３０からの接続応答フレームＦ４を受信し、ステップＳＴ３６で端末装置３０へ端末情報要求フレームＦ５を送信する。その後、端末装置３０は端末情報要求フレームＦ５を受信し、ステップＳＴ３７で光通信装置３０１へ端末情報応答フレームＦ５を送信する。このとき、端末装置３０では端末情報格納部２６から識別情報Ｄ３が読み出され、端末情報応答フレームＦ６に端末情報Ｄ０＝識別情報Ｄ３を記述（付加）して光通信装置３０１に送信するようになされる。
【０１３４】
次に、光通信装置３０１は、端末装置３０からの端末情報応答フレームＦ５を受信し、ステップＳＴ３８で端末機種判別処理を実行する。この処理によれば、端末情報応答フレームＦ５から端末情報Ｄ０＝識別情報Ｄ３を抽出する。光通信装置３０１の主要制御部２５が識別情報Ｄ３を例えばアドレスにして、端末情報格納部１６から該当する外形情報Ｄ１および座標情報Ｄ２を読み出す。これにより、携帯電話機や音楽プレーヤ、ゲーム機、デジタルカメラ等の端末装置３０の機種が判別される。
【０１３５】
そして、ステップＳＴ３９でＬＣＤパネル１２２に当該端末装置３０の外形映像Ｐａを表示する。この例でも第１の実施例と同様にして、光通信装置３０１のＬＣＤパネル１２２において、図３Ａで示した表示領域Ｉに、図３Ｂで示した端末装置３０に関するビットマップ情報を当てはめられ、図４に示したような端末装置３０の外形映像Ｐａが表示される。このとき、光通信装置３０１は、端末装置３０において光通信ポイントを与える座標情報Ｄ２を、自身の光通信ポイントを与える座標情報Ｄ２と一致させて、外形映像Ｐａを表示する。
【０１３６】
以上のフレームシーケンスは、第１の実施例と同様にして全て自動的に行われ、携帯電話機や音楽プレーヤ、ゲーム機、デジタルカメラ等の端末装置３０を光通信装置３０１に近づけるというユーザ行為により、光通信装置３０１では端末装置３０の外形表示までが行われる。そして、当該端末装置３０を取り扱うユーザは、第１の実施例と同様にして光通信装置３０１のＬＣＤパネル１２２に表示された外形映像Ｐａに沿って当該端末装置３０を載置するようになされる。その後、ステップＳＴ４０で光通信装置３０１から端末装置３０へ可視光方式により光通信処理がなされる。
【０１３７】
このように第３の実施例としての光データ通信システム３００によれば、端末装置３０等の端末装置３０と光通信装置３０１間で光素子１５，２７を位置合わせして可視光方式により光通信処理をする場合に、識別情報Ｄ３が端末装置３０に備えられる。識別情報Ｄ３は、光通信装置３０１に対する接近光通信時の位置座標系における自機の外形映像Ｐａ等と光素子配設位置との関係を表示するための外形情報Ｄ１＋座標情報Ｄ２を読み出す情報である。これを前提にして、光通信装置３０１は、携帯電話機や音楽プレーヤ、ゲーム機、デジタルカメラ等の端末装置３０から識別情報Ｄ３を受信すると、複数の外形情報Ｄ１等を機種別に記憶した機種別情報格納部１６から、当該端末装置３０の外形情報Ｄ１＋座標情報Ｄ２を読み出すようになされる。この外形情報Ｄ１＋座標情報Ｄ２に基づいてＬＣＤパネル１２２に端末装置３０の外形映像Ｐａを表示するようになる。
【０１３８】
従って、第１の実施例と同様にして、光通信装置３０１のＬＣＤパネル１２２に表示された外形映像Ｐａに沿って端末装置３０を載置すると、光通信装置３０１の光素子１５の配設位置と、端末装置３０の光素子２７の配設位置とを目視確認して位置合わせすることなく、自己整合的かつ自動的に端末装置３０のＬＥＤ素子１０３及び光通信装置３０１のフォトディテクタ２０１を位置合わせできるようになる。これにより、端末装置３０のＬＥＤ素子１０３及び光通信装置３０１のフォトディテクタ２０１が最適に位置合わせされた状態で、光通信装置３０１から端末装置３０との間で接近光による所望の光通信処理を実行できるようになる。
【産業上の利用可能性】
【０１３９】
この発明は、所望の電力を充電する非接触型の電源供給システムや、映像及び音情報を通信処理する非接触型の光データ通信システム、携帯端末装置等に適用して極めて好適である。
【図面の簡単な説明】
【０１４０】
【図１】本発明に係る第１の実施例としての光データ通信システム１００の構成例を示す図である。
【図２】光データ通信システム１００における光通信装置１及び端末装置２の内部構成例を示すブロック図である。
【図３】（Ａ）及び（Ｂ）は、ＬＣＤパネル１２２の表示領域例及び端末情報Ｄ０のイメージ例を示す図である。
【図４】ＬＣＤパネル１２２における外形映像Ｐａの表示例を示す図である。
【図５】光データ通信システム１００における光通信処理例を示すシーケンスチャートである。
【図６】第２の実施例としての光データ通信システム２００の構成例を示す図である。
【図７】光データ通信システム２００における光通信装置１０及び端末装置２の内部構成例を示すブロック図である。
【図８】第３の実施例としての光データ通信システム３００の内部構成例を示すブロック図である。
【図９】光データ通信システム３００におけるデータ通信処理例を示すシーケンスチャートである。
【図１０】従来例に係る第１の光通信システム４００の構成例を示す概念図である。
【図１１】従来例に係る第２の光通信システム５００の構成例を示す概念図である。
【符号の説明】
【０１４１】
１・・・第１の光通信装置、２・・・端末装置（第２，第４の光通信装置）、１２，２８・・・表示機能部、１３，２４・・・光通信機能部、１４，２５・・・主要制御部、１５，２７・・・光素子、１６・・・機種別情報格納部（記憶部）、２６・・・端末情報格納部（記憶部）、２９・・・情報格納部、３０・・・端末装置（第３の光通信装置）、３３・・・入力部、３１，４１・・・光送信部、３２，４２・・・光受信部、１００，２００，３００・・・光データ通信システム、１０１・・・変調回路、１０２・・・ＬＥＤ駆動回路、１０３・・・ＬＥＤ素子（光素子）、１２１・・・ＬＣＤ駆動回路、１２２・・・ＬＣＤパネル（表示部）、２０１・・・フォトディテクタ、２０２・・・増幅回路、２０３・・・復調回路、３０１・・・（第３の光通信装置）
【図１】
2008227952.tif 000003
【図２】
2008227952.tif 000004
【図３】
2008227952.tif 000005
【図４】
2008227952.tif 000006
【図５】
2008227952.tif 000007
【図６】
2008227952.tif 000008
【図７】
2008227952.tif 000009
【図８】
2008227952.tif 000010
【図９】
2008227952.tif 000011
【図１０】
2008227952.tif 000012
【図１１】
2008227952.tif 000013